(57)【要約】【課題】安全なコピー制御を行うことが可能になり、併せて、高速なレコーディングが可能になるレンダリング装置を提供すること。【解決手段】プレーヤの制御部１は、読取部２から与えられた対象コンテンツ２０のメディア識別情報及び対象コンテンツの暗号状態情報、並びに検出部４から与えられた対象コンテンツのコピー制御情報及び予め定められた動作表に基づいて、アナログ信号の出力を許可するか禁止するか、およびアナログ信号の出力を許可する場合にリマークを行うかリマークを行わないかを決定し、決定した動作内容を実現すべく、出力用スイッチ８とリマーク用スイッチ９を制御する。これによって、不正コピーを回避しつつ、レコーダにおけるウォーターマークＣＣＩの検出およびリマークを省くことができる。【選択図】　図１
2004030882.tif 000002
【特許請求の範囲】
【請求項１】
対象とするコンテンツ格納メディアから、前記コンテンツ格納メディアの分類を示すメディア識別情報と、前記コンテンツ格納メディアに格納されたコンテンツ・データの暗号状態に関する暗号状態情報と、前記コンテンツ・データとを読み取る手段と、
前記コンテンツ・データにウォーターマークとして埋め込まれているコピー制御情報を取得する手段と、
前記メディア識別情報と前記暗号状態情報と前記コピー制御情報とに基づいて、前記コンテンツ・データの再生出力に関する制御を行う制御手段とを具備することを特徴とするレンダリング装置。
【請求項２】
請求項１に記載のレンダリング装置において、前記制御手段は、前記コンテンツ・データの再生出力を許可又は禁止するかを制御することを特徴とするレンダリング装置。
【請求項３】
請求項１又は請求項２に記載のレンダリング装置において、前記制御手段は、前記メディア識別情報と前記暗号状態情報と前記コピー制御情報との組合せが、予め定められた条件を満たす場合に、前記コンテンツ・データの再生出力を許可し、それ以外の場合に、前記コンテンツ・データの再生出力を禁止することを特徴とするレンダリング装置。
【請求項４】
請求項２又は請求項３に記載のレンダリング装置において、前記制御手段により決定された前記コンテンツ・データの再生出力の許可又は禁止に従って、前記コンテンツ・データが再生出力される状態と前記コンテンツ・データが再生出力されない状態とを切り替える手段を更に具備することを特徴とするレンダリング装置。
【請求項５】
請求項１から請求項３のいずれか１項に記載のレンダリング装置において、前記制御手段は、前記コンテンツ・データにウォーターマークとして埋め込まれている前記コピー制御情報の変更に関する制御を行うことを特徴とするレンダリング装置。
【請求項６】
請求項５に記載のレンダリング装置において、前記制御手段は、前記メディア識別情報と前記暗号状態情報と前記コピー制御情報との組合せが、予め定められた条件を満たす場合に、前記コンテンツ・データにウォーターマークとして埋め込まれている前記コピー制御情報を変更することを決定し、それ以外の場合に、該コピー制御情報を変更しないことを決定することを特徴とするレンダリング装置。
【請求項７】
請求項５又は請求項６に記載のレンダリング装置において、前記制御手段が前記コピー制御情報を変更すると決定した場合にのみ、前記コンテンツ・データにウォーターマークとして埋め込まれた前記コピー制御情報を予め定められた特定の内容に変更してウォーターマークとして埋め込み直す手段を更に具備することを特徴とするレンダリング装置。
【請求項８】
請求項７に記載のレンダリング装置において、前記コンテンツ・データが暗号化も圧縮もなされていない場合において、
前記コピー制御情報を取得する手段は、前記コンテンツ・データからウォーターマークとして埋め込まれている前記コピー制御情報を検出し、
前記ウォーターマークとして埋め込み直す手段は、前記コンテンツ・データに対して検出された前記コピー制御情報を前記特定の内容に変更してウォーターマークとして埋め込み直すことを特徴とするレンダリング装置。
【請求項９】
請求項１から請求項８のいずれか１項に記載のレンダリング装置において、前記コンテンツ格納メディアから読み取られた前記コンテンツ・データが暗号化されている場合に、前記コンテンツ・データを復号する手段を更に具備することを特徴とするレンダリング装置。
【請求項１０】
請求項１から請求項９のいずれか１項に記載のレンダリング装置において、前記コンテンツ格納メディアから読み取られた前記コンテンツ・データを、アナログ信号に変換して外部へ出力する手段を更に具備することを特徴とするレンダリング装置。
【請求項１１】
請求項１から請求項１０のいずれか１項に記載のレンダリング装置において、
前記メディア識別情報は、読出し専用メディアを示す第１のメディア識別情報、又は書き込み可能なメディアを示す第２のメディア識別情報を含み、
前記暗号状態情報は、前記コンテンツ・データの暗号化に使用されている暗号方式を示す第１の暗号化状態情報を含み、
前記コピー制御情報は、コピーに関する制限のないことを示す第１のコピー制御情報、コピーが１回のみ許可されていることを示す第２のコピー制御情報、コピーが禁止され、かつ第２のコピー制御情報が更新されたことを示す第３のコピー制御情報、又はコピーが禁止されていることを示す第４のコピー制御情報のいずれかを含むことを特徴とするレンダリング装置。
【請求項１２】
請求項１１に記載のレンダリング装置において、
前記暗号状態情報は、前記第１の暗号化情報、又は前記コンテンツ・データが暗号化されていない旨を示す第２の暗号化状態情報のいずれかを含み、
前記コピー制御情報は、第１から第４のコピー制御情報、又は前記コンテンツ・データにコピー制御のためのウォーターマークが埋め込まれていない旨を示す第５のコピー制御情報のいずれかを含むことを特徴とするレンダリング装置。
【請求項１３】
請求項１１又は請求項１２に記載のレンダリング装置において、前記メディア識別情報が前記第１のメディア識別情報であり且つ前記暗号状態情報が前記第１のメディア識別情報に適合するものであり且つ前記コピー制御情報が前記第３のコピー制御情報以外の情報であるか又は付加されていない場合には、前記制御手段は、前記コンテンツ・データの再生出力を許可し、前記コンテンツ・データにウォーターマークとして埋め込まれている前記コピー制御情報を変更しないと決定することを特徴とするレンダリング装置。
【請求項１４】
請求項１１から請求項１３のいずれか１項に記載のレンダリング装置において、前記メディア識別情報が前記第１のメディア識別情報であり且つ前記暗号状態情報が前記第１のメディア識別情報に適合するものであり且つ前記コピー制御情報が前記第３のコピー制御情報であるか又は付加されている場合には、前記制御手段は、前記コンテンツ・データの再生出力を禁止すると決定することを特徴とするレンダリング装置。
【請求項１５】
請求項１１から請求項１４のいずれか１項に記載のレンダリング装置において、前記メディア識別情報が前記第１のメディア識別情報であり且つ前記暗号状態情報が前記第１のメディア識別情報に適合しない場合には、前記制御手段は、前記コピー制御情報にかかわらずに、前記コンテンツ・データの再生出力を禁止すると決定することを特徴とするレンダリング装置。
【請求項１６】
請求項１１又は請求項１５に記載のレンダリング装置において、前記メディア識別情報が前記第２のメディア識別情報であり且つ前記暗号状態情報が前記第２のメディア識別情報に適合するものであり且つ前記コピー制御情報が前記第１の情報である場合には、前記制御手段は、前記コンテンツ・データの再生出力を許可し、前記コンテンツ・データにウォーターマークとして埋め込まれている前記コピー制御情報を変更しないと決定することを特徴とするレンダリング装置。
【請求項１７】
請求項１１又は請求項１５に記載のレンダリング装置において、前記メディア識別情報が前記第２のメディア識別情報であり且つ前記暗号状態情報が前記第２のメディア識別情報に適合するものであり且つ前記コピー制御情報が前記第２のコピー制御情報である場合には、前記制御手段は、前記コンテンツ・データの再生出力を許可し、前記コンテンツ・データにウォーターマークとして埋め込まれている前記コピー制御情報を前記第３のコピー制御情報に変更すると決定することを特徴とするレンダリング装置。
【請求項１８】
請求項１１から請求項１７のいずれか１項に記載のレンダリング装置において、前記メディア識別情報が前記第２のメディア識別情報であり且つ前記暗号状態情報が前記第２のメディア識別情報に適合するものであり且つ前記コピー制御情報が前記第３又は第４のコピー制御情報である場合には、前記制御手段は、前記コンテンツ・データの再生出力を禁止すると決定することを特徴とするレンダリング装置。
【請求項１９】
請求項１１から請求項１８のいずれか１項に記載のレンダリング装置において、前記メディア識別情報が前記第２のメディア識別情報であり且つ前記暗号状態情報が前記第２のメディア識別情報に適合しない場合には、前記制御手段は、前記コピー制御情報にかかわらずに、前記コンテンツ・データの再生出力を禁止すると決定することを特徴とするレンダリング装置。
【請求項２０】
請求項１１から請求項１９のいずれか１項に記載のレンダリング装置において、前記メディア識別情報が第１及び第２のメディア識別情報以外の情報である場合には、前記制御手段は、前記第２のメディア識別情報であるものとみなして制御を行うことを特徴とするレンダリング装置。
【請求項２１】
請求項１１から請求項２０のいずれか１項に記載のレンダリング装置において、前記メディア識別情報が第１及び第２のメディア識別情報以外の情報である場合には、前記制御手段は、前記コンテンツ・データの再生出力を禁止すると決定することを特徴とするレンダリング装置。
【請求項２２】
所定のメディアに記録されたコンテンツ・データを再生出力するためのレンダリング装置におけるコピー制御方法であって、
対象とするコンテンツ格納メディアから、前記コンテンツ格納メディアの分類を示すメディア識別情報と前記コンテンツ格納メディアに格納された対象とするコンテンツ・データの暗号状態に関する暗号状態情報と前記コンテンツ・データとを読み取り、
前記コンテンツ・データにウォーターマークとして埋め込まれているコピー制御情報を取得し、
前記メディア識別情報と前記暗号状態情報と前記コピー制御情報とに基づいて、前記コンテンツ・データの再生出力に関する制御を行うことを特徴とするコピー制御方法。
【請求項２３】
所定のメディアに記録されたコンテンツ・データを再生出力するためのレンダリング装置としてコンピュータを機能させるためのプログラムであって、
対象とするコンテンツ格納メディアから、前記コンテンツ格納メディアの分類を示すメディア識別情報と前記コンテンツ格納メディアに格納された対象とするコンテンツ・データの暗号状態に関する暗号状態情報と前記コンテンツ・データとを読み取る機能と、
前記コンテンツ・データにウォーターマークとして埋め込まれているコピー制御情報を取得する機能と、
前記メディア識別情報と前記暗号状態情報と前記コピー制御情報とに基づいて、前記コンテンツ・データの再生出力に関する制御を行う制御機能とをコンピュータに実現させるためのプログラム。
【発明の詳細な説明】
【０００１】
【発明の属する技術分野】
本発明は、所定のメディアに記録されたコンテンツ・データを再生出力するためのレンダリング装置及びコピー制御方法に関する。
【０００２】
【従来の技術】
著作物のコピー制御は、ＣＣＩ（コピー制御情報）に基づいて行われる。ＣＣＩには、デジタルＣＣＩ（Ｄ−ＣＣＩ）とウォーターマークＣＣＩ（ＷＭ−ＣＣＩ）の２つのタイプが存在する。デジタルＣＣＩは、デジタル・データである著作物に関連付けられているデジタル情報である。また、ウォーターマークＣＣＩは、ウォーターマーク技術を用いて著作物に埋め込まれたデジタル情報である。ウォーターマークＣＣＩは、アナログ信号として表現された著作物の中から検出することも可能である。
【０００３】
例えば、映像コンテンツは、ＭＰＥＧ２形式のデジタル・データとして表現され、コンテンツ格納メディアに記録される。当該デジタル・データに対して、デジタルＣＣＩを関連付けることができるが、この情報は、再生された映像コンテンツから検出することはできない。一方、映像コンテンツに埋め込こまれたウォーターマークＣＣＩは、再生された映像コンテンツから検出することが可能である。
【０００４】
ウォーターマークＣＣＩに基づくコピー制御は、レコーディング装置において行われている。このためにレコーディング装置では、レコーディングの際に、ウォーターマークのチェックを行う必要があり、必要に応じてリマークを行う必要がある。したがって、ウォーターマークＣＣＩの検出およびリマークが、高速レコーディングの障害となっている。
【０００５】
【発明が解決しようとする課題】
本発明は、安全なコピー制御が可能になり、併せて、高速なレコーディングが可能になるレンダリング装置及びコピー制御方法を提供することを目的とする。
【０００６】
【課題を解決するための手段】
本発明の第１の局面に係るレンダリング装置は、対象とするコンテンツ格納メディアから、前記コンテンツ格納メディアの分類を示すメディア識別情報と、前記コンテンツ格納メディアに格納されたコンテンツ・データの暗号状態に関する暗号状態情報と、前記コンテンツ・データとを読み取る手段と、前記コンテンツ・データにウォーターマークとして埋め込まれているコピー制御情報を取得する手段と、前記メディア識別情報と前記暗号状態情報と前記コピー制御情報とに基づいて、前記コンテンツ・データの再生出力に関する制御を行う制御手段とを具備することを特徴とする。
【０００７】
本発明の第２の局面に係るコピー制御方法は、所定のメディアに記録されたコンテンツ・データを再生出力するためのレンダリング装置におけるコピー制御方法であって、対象とするコンテンツ格納メディアから、前記コンテンツ格納メディアの分類を示すメディア識別情報と前記コンテンツ格納メディアに格納された対象とするコンテンツ・データの暗号状態に関する暗号状態情報と前記コンテンツ・データとを読み取り、前記コンテンツ・データにウォーターマークとして埋め込まれているコピー制御情報を取得し、前記メディア識別情報と前記暗号状態情報と前記コピー制御情報とに基づいて、前記コンテンツ・データの再生出力に関する制御を行うことを特徴とする。
【０００８】
本発明の第３の局面に係るプログラムは、所定のメディアに記録されたコンテンツ・データを再生出力するためのレンダリング装置としてコンピュータを機能させるためのプログラムであって、対象とするコンテンツ格納メディアから、前記コンテンツ格納メディアの分類を示すメディア識別情報と前記コンテンツ格納メディアに格納された対象とするコンテンツ・データの暗号状態に関する暗号状態情報と前記コンテンツ・データとを読み取る機能と、前記コンテンツ・データにウォーターマークとして埋め込まれているコピー制御情報を取得する機能と、前記メディア識別情報と前記暗号状態情報と前記コピー制御情報とに基づいて、前記コンテンツ・データの再生出力に関する制御を行う制御機能とをコンピュータに実現させるためのプログラムである。
【０００９】
なお、装置に係る本発明は方法に係る発明としても成立し、方法に係る本発明は装置に係る発明としても成立する。
【００１０】
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読取り可能な記録媒体としても成立する。
【００１１】
【発明の実施の形態】
以下、図面を参照しながら発明の実施の形態を説明する。
【００１２】
本実施形態では、コンテンツ・データとは、デジタル化された著作物を云うものとする。それは、コンテンツ・データは、例えば、動画像及び又は音声のコンテンツ…典型的には映画コンテンツ、音楽コンテンツなど…である。
【００１３】
本実施形態では、コンテンツ・データは、例えばＭＰＥＧなどの所定の圧縮符号化方式に従ってエンコードされてコンテンツ格納メディアに格納される場合を想定して説明する（コンテンツ・データが圧縮符号化されずにコンテンツ格納メディアに格納されている場合には、圧縮エンコードやこれに対応するデコードが不要になる）。
【００１４】
本実施形態では、コンテンツ・データは、（圧縮された後に）暗号化されてコンテンツ格納メディアに格納される場合と、（圧縮された後に）暗号化されずにコンテンツ格納メディアに格納される場合とがあり得ることを想定する。また、前者の場合に、ＲＯＭ（Ｒｅａｄ　Ｏｎｌｙ　Ｍｅｄｉａ）（読出し専用メディア）に格納する際には、ＲＯＭ用の暗号方式（例えばＣＳＳやＣＰＰＭ等）による暗号化が行われ、ＲＷＭ（Ｒｅａｄ　Ｗｒｉｔｅ　Ｍｅｄｉａ）（書き込み可能なメディア）に格納する際には、ＲＷＭ用の暗号方式（例えばＣＰＲＭ等）による暗号化が行われるものとする。
【００１５】
なお、コンテンツを格納したＲＯＭは、コンテンツ・ディスク等のメーカにより製作され（エンド・ユーザに供給され）、コンテンツを格納したＲＷＭは、エンド・ユーザにおいて製作されるものとする。
【００１６】
コンテンツ格納メディアは、例えば、ＤＶＤであるが、どのようなものであってもよい。
【００１７】
図１に示すように、本実施形態に係るプレーヤ（レンダリング装置）３０は、エンド・ユーザにおいて使用される。プレーヤ３０は、コンテンツ格納メディア４０（すなわち上記のＲＯＭやＲＷＭ）に格納されたコンテンツ・データを読み取り、コンテンツ・データが暗号化されていれば暗号を解く。そして、プレーヤ３０は、コンテンツ・データをデコードして、Ｄ／Ａ変換した後に、アナログ信号として（例えば１又は複数設けられたアナログ出力端子から）再生出力する。なお、その際に、本実施形態のプレーヤ３０は、詳しくは後述するように、当該コンテンツに関係する所定の情報に基づいてアナログ出力（再生出力）の許可／禁止やコピー制御情報の更新の有無の制御を行う。
【００１８】
プレーヤ３０から出力されるアナログ信号は、種々の目的で利用することが可能である。例えば、コンテンツ・データを再生（映像表示及び又は音声出力等）するための装置（例えば、ディスプレイあるいは出力デバイスとしてのＴＶ）へアナログ信号を供給することによって、コンテンツを鑑賞等することができる。図１は、アナログ信号をディスプレイ３２へ与える場合を例示している。
【００１９】
また、図１に示すように、アナログ信号をレコーダ３４に与えて、コンテンツ・データをコピーしたＲＷＭ４１を作成することもできる。レコーダ３４は、例えば、次のような機能を備えている。レコーダ３４は、プレーヤ３０からのアナログ信号をデジタル化し、圧縮エンコードし、暗号化せずに、ＲＷＭ４１へ書き込む。又は、レコーダ３４は、プレーヤ３０からのアナログ信号をデジタル化し、圧縮エンコードし、暗号化して、ＲＷＭ４１へ書き込む。
【００２０】
本実施形態では、アナログ出力の許可／禁止やコピー制御情報の更新の有無の制御を行うにあたって、制御内容を決定するための判断基準に使用する判断材料として、次のような情報を用いる。
（１）　対象とするコンテンツ格納メディアの分類を示すメディア識別情報（メディア・タイプ）
（２）　対象とするコンテンツが暗号化されているか否か及び暗号化されている場合において使用されている暗号方式を示す暗号状態情報
（３）　対象とするコンテンツにウォーターマーク（電子透かし）（Ｗａｔｅｒｍａｒｋ）として埋め込まれているウォーターマークＣＣＩまたはそれが埋め込まれていないことを示すコピー制御情報
メディア識別情報は、具体的には、当該コンテンツ格納メディアが“ＲＯＭ”であるか“ＲＷＭ”であるかを示す情報とする（例えば、メディアがＤＶＤである場合に、ＤＶＤ−ＲＯＭであるかＤＶＤ−Ｒ／Ｗであるかを示す情報等である）。メディア識別情報は、何らかの方法で改竄などから保護されており、このメディア識別情報はメディアから改竄を受けること無く読み出すことができるものとする。
【００２１】
暗号状態情報は、当該コンテンツ又はその一部が暗号化されているか否かを示すと共に、暗号化されている場合には使用されている暗号方式を示す情報である（本実施形態の手順例では、一定量ごとに、それが暗号化されているか否かを判断する場合を例にとって説明している）。暗号状態情報は、具体例として、暗号化されていない場合を示す“Ｎｏｎｅ”、暗号化されておりＲＯＭ用のＣＳＳ方式が使用されている場合を示す“ＣＳＳ”、暗号化されておりＲＯＭ用のＣＰＰＭ方式が使用されている場合を示す“ＣＰＰＭ”、暗号化されておりＲＷＭ用のＣＰＲＭ方式が使用されている場合を示す“ＣＰＲＭ”を用いるものとして説明する。暗号状態情報も、また、何らかの方法で改竄などから保護されており、この暗号状態情報はメディアから改竄を受けること無く読み出すことができるものとする。なお、上記のように具体的な暗号方式を細分化して扱う代わりに、プレーヤ内部では、暗号化されていないか、ＲＯＭ用の暗号方式か、ＲＷＭ用の暗号方式かの３値の暗号状態情報を用いることも可能である。
【００２２】
コピー制御情報は、当該コンテンツにウォーターマークＣＣＩが埋め込まれているか否か、及び埋め込まれている場合におけるそのウォーターマークＣＣＩの状態（内容）を示す。ウォーターマークＣＣＩは、４つの状態のいずれかをとるフラグであり、それらの４状態は、「コピーフリー（ＣＦ）」、「コピーワンス（ＣＯ）」、「コピーネバー（ＣＮ）」、「コピーノーモア（ＮＭ）」である。
「コピーフリー」は、当該コンテンツが自由にコピーできることを示す。
「コピーワンス」は、当該コンテンツが一度だけコピーできることを示す。
「コピーネバー」は、当該コンテンツがコピーできないことを示す。
「コピーノーモア」は、「コピーワンス」からの変更によって出現するもので、当該コンテンツがコピーできないことを示す。コピーに際して、「コピーワンス」の「コピーノーモア」に変更する（「コピーノーモア」のウォーターマークＣＣＩを当該コンテンツに埋め込み直す）ことを、リマークと呼ぶ。
【００２３】
コピー制御情報として、ウォーターマークＣＣＩが埋め込まれていない場合を示す“Ｎｏｎｅ”、ウォーターマークＣＣＩが埋め込まれておりその状態がコピーフリーである場合を示す“ＣＦ”、ウォーターマークＣＣＩが埋め込まれておりその状態がコピーワンスである場合を示す“ＣＯ”、ウォーターマークＣＣＩが埋め込まれておりその状態がコピーネバーである場合を示す“ＣＮ”、ウォーターマークＣＣＩが埋め込まれておりその状態がコピーノーモアである場合を示す“ＮＭ”を用いるものとして説明する。
【００２４】
本実施形態では、ウォーターマークＣＣＩは、対象コンテンツが暗号化も圧縮もされていないプレインのデジタル・データの状態で、検出したり、リマークしたり（埋め込んだり）するものとする。また、ウォーターマークＣＣＩの状態（ＣＦ，ＣＯ，ＣＮ，ＮＭ）は、ウォーターマークＣＣＩを埋め込んだコンテンツを、Ｄ／Ａ変換した後にＡ／Ｄ変換しても、あるいは圧縮エンコードしデコードしても、あるいは圧縮エンコードし暗号化した後に復号しデコードしても、不変である（維持される）ものとする。
【００２５】
なお、ウォーターマークＣＣＩをコンテンツから検出する方法、コンテンツに埋め込まれたウォーターマークＣＣＩをリマークする方法、あるいは／及びウォーターマークＣＣＩをコンテンツに埋め込む方法は、公知の方法で構わない。
【００２６】
なお、コンテンツ自体に埋め込まれるウォーターマークＣＣＩの他に、コンテンツにデジタル情報として付加して用いるデジタルＣＣＩ（ＣＦ，ＣＯ，ＣＮ，ＮＭ）もあるが、本実施形態では、デジタルＣＣＩは扱わないものとする。
【００２７】
なお、本実施形態では、次のようなコピーがなされることも想定する。例えば、図２に示すように、何らかのコピーツールを起動したＰＣ３６にて、ＲＯＭ４２からコンテンツを読み込む。コンテンツを例えばＩＥＥＥ１３９４のＤＴＣＰなどによりセキュアにレコーダ３８に与え、レコーダ３８によりＲＷＭ４３にコピーされる。この場合、コンテンツが暗号化されていればＰＣ３６で一旦暗号化が解かれる。ＰＣ３６はレコーダ３８へ、暗号化していない圧縮されたデジタル・コンテンツをセキュアに転送する。レコーダ３８は圧縮されたデジタル・コンテンツをＣＰＲＭなどで暗号化して、ＲＷＭ４３に書き込む。この場合、ＲＷＭ４３では、もとのＲＯＭ４２に比較して、ウォーターマークＣＣＩは同一でコンテンツの暗号方式が異なる。
【００２８】
図３に、本発明の一実施形態に係るプレーヤ（レンダリング装置）の構成例を示す。
図３に示されるように、本実施形態のプレーヤは、制御部１、正統的読取部（Ａｕｔｈｏｒｉｚｅｄ　Ｒｅａｄｉｎｇ　Ｆｕｎｃｔｉｏｎ）（以下、読取部）２、（暗号化に対する復号を行う）復号部３、（圧縮エンコードに対するデコードを行う）デコード部４、ウォーターマーク検出部（以下、検出部）５、ウォーターマーク・リマーク部（以下、リマーク部）６、Ｄ／Ａ変換部７、第１のスイッチ部（以下、出力用スイッチ）８、第２のスイッチ部（以下、リマーク用スイッチ）９を備えている。
【００２９】
なお、図３では、デコード部４の後段に、リマーク用スイッチ９及びリマーク部６が配置され、更にその後段に出力用スイッチ８が配置されている。しかし、これは一例であり、例えば、デコード部４の後段に、出力用スイッチ８が配置され、更にその後段にリマーク用スイッチ９及びリマーク部６が配置されてもよい。
【００３０】
また、図３のプレーヤは、ハードウェアのみによって実現することも可能であるし、計算をする部分などハードウェアを必須としない部分をソフトウェアで実現することも可能である。ただし、外部からはアナログ信号としてしかコンテンツを利用できないようにするのが望ましい。
【００３１】
例えばＤＶＤなどの、コンテンツ格納メディア２０には、既に説明したように、コンテンツ・データが記録されている。
【００３２】
読取部２は、対象となったコンテンツ格納メディア２０のメディア識別情報、当該コンテンツ格納メディア２０に格納された対象となったコンテンツの暗号状態情報、および当該コンテンツ（圧縮コード）を読み取る。
【００３３】
復号部３は、当該コンテンツに暗号化がなされている場合に、読取部２にて得られた暗号状態情報が示す暗号方式に従って、復号を行う。
【００３４】
デコード部４は、例えばＭＰＥＧなどの所定の圧縮符号化方式に従って、当該コンテンツの圧縮コードを展開し、展開したコンテンツのデジタル・データ（デジタル・コード）を出力する。
【００３５】
検出部５は、デコード部４で得られたデジタル・データに埋め込まれているウォーターマークＣＣＩを検出し（または、それが埋め込まれていないことを検出し）、コピー制御情報を求める。
【００３６】
リマーク部６は、検出部５により得られたコピー制御情報＝“ＣＯ”である場合にのみ、デコード部４から出力されるデジタル・データのコード中のウォーターマークＣＣＩを“ＣＯ”から“ＣＮＭ”に変更する。
【００３７】
Ｄ／Ａ変換部７は、検出部５から出力されるデジタル・データ（ただし、コピー制御情報＝“ＣＯ”である場合には、リマーク部６から出力されるリマークされたデジタル・データ）を、アナログ信号に変換し、アナログ信号をアナログ出力端子１０から外部へ出力する。
【００３８】
制御部１は、プレーヤの動作を制御する。更に、制御部１は、読取部２からのメディア識別情報及び暗号状態情報、並びに検出部４からのコピー制御情報に基づいて、出力用スイッチ８とリマーク用スイッチ９の制御等を行う。
【００３９】
図４は、メディア識別情報と暗号状態情報とコピー制御情報とに基づいて、制御部１が行なう制御内容を示したものである。
【００４０】
なお、図４は、このプレーヤが、暗号方式として、ＣＳＳ，ＣＰＰＭ，ＣＰＰＭをサポートする場合を例にとっている。例えば、ＲＯＭ用の暗号方式（Ｘとする）が追加になる場合には、暗号方式Ｘは、ＣＳＳやＣＰＰＭと同じ扱いにすればよいし、ＲＷＭ用の暗号方式（Ｙとする）が追加になる場合には、暗号方式Ｙは、ＣＰＲＭと同じ扱いにすればよい。
【００４１】
図４において、各情報に基づく判断は例えば次のようになる。
例えば、メディア識別情報＝“ＲＯＭ”かつ暗号状態情報＝“ＣＳＳ”かつコピー制御情報＝“ＣＦ”の場合には、出力用スイッチをｏｎ（出力許可）にし、リマーク用スイッチをｔ１側が導通する状態（すなわち、リマークなし）にすることが、決定され、そのように制御される。
【００４２】
同様に、例えば、メディア識別情報＝“ＲＷＭ”かつ暗号状態情報＝“ＣＰＲＭ”かつコピー制御情報＝“ＣＮ”の場合には、出力用スイッチがｏｆｆ（出力禁止）になる。
【００４３】
なお、出力用スイッチをｏｆｆ（出力禁止）にする場合には、リマーク用スイッチは、意味がないので、どのように扱っても構わない（例えば、ｔ１側が導通する状態、あるいはｔ１側とｔ２側のいずれも導通しない状態などとして構わない）。なお、この場合には、ここでは、ｔ１にするものとして説明する。
【００４４】
また、例えば、メディア識別情報＝“ＲＷＭ”かつ暗号状態情報＝“ＣＰＲＭ”かつコピー制御情報＝“ＣＯ”の場合には、出力用スイッチがｏｎ（出力許可）、リマーク用スイッチが２（リマークあり）になる。
【００４５】
さて、図４において、メディア識別情報がＲＯＭである場合、コンテンツ格納メディアは、読出し専用メディアである。コンテンツ販売用のパッケージ・メディアなどが、これに当たる。パッケージ・メディアは、印刷などの方法により、同一内容のものが工場で大量に生産される。
【００４６】
図４では、ウォーターマークＣＣＩが埋め込まれている場合には、ウォーターマークＣＣＩの状態は、「ＣＦ」、「ＣＮ」または「ＣＯ」であり、正当なウォーターマークＣＣＩとしては「ＮＭ」であることはないものと想定している（ウォーターマークＣＣＩが「ＮＭ」であれば、正当なものでないとみなすものとしている）。
【００４７】
なお、予め定められたＲＯＭ用の暗号方式以外で暗号化されている場合には、暗号を解くことができないか、または不正コピーであるなどの、予定しない状態であるので、アナログ信号の出力は禁止される。
【００４８】
一方、メディア・タイプがＲＷＭである場合、コンテンツ格納メディアは、書き込み可能なメディアである。これは、基本的に、エンド・ユーザにより製作されている。
【００４９】
図４では、ウォーターマークＣＣＩが埋め込まれている場合には、ウォーターマークＣＣＩの状態は、「ＣＦ」または「ＣＯ」であり、正当なウォーターマークＣＣＩとしては「ＮＭ」または「ＣＮ」であることはないものと想定している（「ＮＭ」または「ＣＮ」であれば、正当なものでないとみなすものとしている）。また、「ＣＯ」については、リマークがなされることになる。
【００５０】
なお、予め定められたＲＷＭ用の暗号方式以外で暗号化されている場合には、暗号を解くことができないか、または不正コピーであるなどの、予定しない状態であるので、アナログ信号の出力は禁止される。
【００５１】
また、図４においては、ＲＯＭとＲＷＭにかかわらず、メディアが格納するコンテンツにウォーターマークＣＣＩが埋め込まれていない場合に、これをサポートすることも想定している。
【００５２】
なお、かりに図４に基づく判断にあたって、メディア識別情報がＲＯＭとＲＷＭのいずれでもないことがあり得る場合には、例えば、ＲＷＭとみなして処理する方法や、出力用スイッチをｏｆｆ（出力禁止）にする方法などがある。
【００５３】
また、かりに図４に基づく判断にあたって、暗号状態情報がＮｏｎｅ，ＣＳＳ，ＣＰＰＭ，ＣＰＰＭのいずれでもないことがあり得る場合には、出力用スイッチをｏｆｆ（出力禁止）にするものとする。
【００５４】
また、かりに図４に基づく判断にあたって、かりにコピー制御がＮｏｎｅ，ＣＦ，ＣＯ，ＣＮ、ＮＭのいずれでもないことがあり得る場合には、ＣＦとみなす方法、逆に、ＣＮとみなす方法、あるいは出力用スイッチをｏｆｆ（出力禁止）にする方法などがある。
【００５５】
以下、本実施形態のプレーヤーの動作例について説明する。
図５〜図８に、このプレーヤーの動作手順の一例を示す。
なお、本手順例は、一定量のデータごとに、処理を繰り返す場合を例にとって記述している（暗号状態情報やコピー制御情報も、一定量のデータごとに調べる場合の例である）。
また、本手順例において、動作フローは、その途中で、手続きＡ、手続きＢおよび手続きＣの、３つの手続きに分岐している（図５参照）。分岐した３つの手続きは、並列に実行されるものとする。本手順例において、制御部１が格納している変数ａおよび変数ｂは、それぞれ、手続きＡ（図６）および手続きＢ（図７）の終了をモニタする。手続きＣ（図８）は、手続きＡと手続きＢの終了をモニタし、次の一定量のデータに対する繰り返し処理に制御を移すための手続きである。図７における、制御部１によるスイッチ７，８の制御は、図４に基づいて行われるものとする。
【００５６】
さて、図５〜図８の手順において、まず、初期的に、出力用スイッチ８をｏｎにし、リマーク用スイッチをｔ１（リマークなし）にする（Ｓ１）。
【００５７】
読取部２は対象メディア２０のメディア識別情報を検出し、読取部２から制御部１へ、該メディア識別情報が送られる（Ｓ２）。この例では、メディア識別情報は、“ＲＯＭ”または“ＲＷＭ”であることを想定している。
【００５８】
この手順では、以降、対象コンテンツの一定量のデータを単位として、繰り返し処理になる。
【００５９】
すなわち、読取部２は対象コンテンツに関する暗号状態情報を検出し、読取部２から制御部１へ、該暗号状態情報が送られる（Ｓ３）。この例では、暗号状態情報は、“Ｎｏｎｅ”，“ＣＳＳ”，“ＣＰＰＭ”または“ＣＰＰＭ”であることを想定している。
【００６０】
次に、読取部２は、対象メディア２０から、対象コンテンツの一定量のデータを読み取る（Ｓ４）。
【００６１】
ここで、読取部２は、暗号状態情報を参照し、“ＣＳＳ”，“ＣＰＰＭ”または“ＣＰＰＭ”のいずれかであれば（Ｓ５）、対象コンテンツの一定量のデータ（暗号化データ）を、復号部３へ送る（Ｓ６）。復号部３は、読取部２から渡された暗号化データを（暗号状態情報が示す暗号方式により）復号し、これによって得たデータ（圧縮データ）を、デコード部４へ送る（Ｓ７）。
【００６２】
一方、暗号状態情報が“Ｎｏｎｅ”であれば（Ｓ５）、読取部２は、対象コンテンツの一定量のデータ（圧縮データ）を、デコード部４へ送る（Ｓ８）。
【００６３】
なお、かりに読取部２が、“ＣＳＳ”，“ＣＰＰＭ”または“ＣＰＰＭ”以外のサポートしていない暗号方式を検出した場合には、当該一定量のデータについては暗号を解くことができないので、当該一定量のデータについてのみ出力禁止にするようにしてもよい。また、このような場合には、図５〜図８の手順自体を中止させ、何らかのエラーメッセージを表示するなどしてもよい。
【００６４】
いずれにしても、デコード部４に圧縮データが渡されると、ａ＝０かつｂ＝０として、次の（並列に実行される）手続きＡ〜Ｃに移る。
【００６５】
手続きＡ（図６）では、まず、デコード部４は、与えられた圧縮データを伸長して、もとのデジタル・データを生成（復元）する（Ｓ１１）。
【００６６】
ここで、リマーク用スイッチ９がｔ２すなわちリマークありで且つ出力用スイッチ８がｏｎであれば（Ｓ１２，Ｓ１４）、デジタル・データは、スイッチ９を介してリマーク部６へ与えられる。リマーク部６は、デジタル・データをリマークする。すなわち、リマーク部６は、ウォーターマークＣＣＩ＝“ＮＭ”が埋め込まれた状態にする（Ｓ１３）。リマークされたデジタル・データは、スイッチ８を介してＤ／Ａ変換部７へ渡される。Ｄ／Ａ変換部７は、該デジタル・データをアナログ信号に変換する。そして、該コンテンツは、アナログ信号として、アナログ出力端子１０から出力される（Ｓ１５）。
【００６７】
一方、リマーク用スイッチ９がｔ１すなわちリマークなしで且つ出力用スイッチ８がｏｎであれば（Ｓ１２，Ｓ１４）、デジタル・データは、スイッチ９，８を介してＤ／Ａ変換部７へ渡される。Ｄ／Ａ変換部７は、該デジタル・データをアナログ信号に変換する。そして、該コンテンツは、アナログ信号として、アナログ出力端子１０から出力される（Ｓ１５）。
【００６８】
また、出力用スイッチ８がｏｆｆであれば（Ｓ１２，Ｓ１４）、アナログ信号の出力は、禁止される。
【００６９】
そして、いずれにしても、手続きＡの完了を示すために、ａ＝１にする。
【００７０】
手続きＢ（図７）では、まず、デコード部４から検出部５へ、デコード部４にて圧縮データを伸長して得られたもとのデジタル・データを送る（Ｓ２１）。
【００７１】
検出部５は、与えられたデジタル・データからウォーターマークＣＣＩを検出し、この検出結果から得たコピー制御情報を、制御部１へ送る（Ｓ２２）。
【００７２】
制御部１は、読取部２から与えられたメディア識別情報及び暗号状態情報、並びに検出部５から与えられたコピー制御情報に基づいて、図４の動作表から、出力用スイッチ８をｏｎにするか（すなわち、アナログ信号の出力を許可するか）、ｏｆｆにするか（すなわち、アナログ信号の出力を禁止するか）、および（アナログ信号の出力を許可する場合に）リマーク用スイッチ９をｔ１にするか（すなわち、リマークを行わないか）、ｔ２にするか（すなわち、リマークを行うか）かについて決定する（Ｓ２３）。
【００７３】
そして、制御部１は、次のような制御を行う（Ｓ２４）。アナログ信号の出力を許可すると決定した場合には、出力用スイッチ８をｏｎにする。アナログ信号の出力を禁止すると決定した場合には、出力用スイッチ８をｏｆｆにする。また、リマークを行うと決定した場合には、リマーク用スイッチ９をｔ２にする。リマークを行わないと決定した場合には、リマーク用スイッチ９をｔ１にする。
【００７４】
そして、いずれにしても、手続きＢの完了を示すために、ｂ＝１にする（Ｓ２５）。
【００７５】
手続きＣ（図８）では、ａの値とｂの値を監視し続け、ａ＝１かつｂ＝１になったならば、すなわち、手続きＡおよび手続きＢの両方が完了したならば（Ｓ３１）、図５のＲ１すなわちステップＳ３に制御を移して、次の一定量のデータに対する繰り返し処理が続行される。
【００７６】
なお、対象メディア２０から読み出すべき対象コンテンツが残っていなければ、処理は終了となる。
【００７７】
なお、図５〜図８の手順は、適宜処理の順序を入れ替え、あるいは処理を並列化する変形を施すことも可能である。
【００７８】
また、図５〜図８の手順例以外にも、同様の働きを得るための種々の手順が可能である。例えば、当該コンテンツ全体について１回のみ暗号状態情報を調べる手順や、当該コンテンツ全体について１回のみコピー制御情報を調べる手順なども可能である。
【００７９】
さて、以下では、いくつかの具体例を用いて説明する。
なお、以下の具体例では、ＲＯＭについては暗号状態情報＝“ＣＳＳ”、ＲＷＭについては暗号状態情報＝“ＣＰＲＭ”であるとして説明する。また、コピーにあたっては、暗号化がなされるものとして説明する。
【００８０】
（具体例１）
例えば、図９（ａ）に示すように、メディア識別情報＝“ＲＯＭ”かつ暗号状態情報＝“ＣＳＳ”かつコピー制御情報＝“ＣＦ”（コピーフリー）のメディア１０１を対象とする場合には、本プレーヤ３０ではアナログ信号の出力が許可になる。そのアナログ出力を、何らかのレコーダ（図示せず）に入力させて、レコーダ（図示せず）により、メディア識別情報＝“ＲＷＭ”かつ暗号状態情報＝“ＣＰＲＭ”かつコピー制御情報＝“ＣＦ”のメディア１０２を作成することができる。
【００８１】
次に、図９（ｂ）に示すように、メディア１０２についても、本プレーヤ３０ではアナログ信号の出力が許可になる。従って、そのアナログ出力を、何らかのレコーダ（図示せず）に入力させて、該レコーダ（図示せず）により、メディア識別情報＝“ＲＷＭ”かつ暗号状態情報＝“ＣＰＲＭ”かつコピー制御情報＝“ＣＦ”のメディア１０３を作成することができる。
【００８２】
この場合には、以下、同様にして、自由にコピーを繰り返すことができる。
【００８３】
（具体例２）
例えば、図１０（ａ）に示すように、メディア識別情報＝“ＲＯＭ”かつ暗号状態情報＝“ＣＳＳ”かつコピー制御情報＝“ＣＯ”（コピーワンス）のメディア１２１を対象とする場合には、本プレーヤ３０ではアナログ信号の出力が許可になる（リマークなし）。そのアナログ出力を、何らかのレコーダ（図示せず）に入力させて、該レコーダ（図示せず）により、メディア識別情報＝“ＲＷＭ”かつ暗号状態情報＝“ＣＰＲＭ”かつコピー制御情報＝“ＣＯ”のメディア１２２を作成することができる。
【００８４】
次に、図１０（ｂ）に示すように、このメディア１２２については、本プレーヤ３０ではアナログ信号の出力が許可になるが、具体例１とは異なり、ウォーターマークＣＣＩが“ＮＭ”にリマークされる。この場合、そのウォーターマークＣＣＩ＝“ＮＭ”を持つコンテンツのアナログ出力を、何らかのレコーダ（図示せず）に入力させても、該レコーダがウォーターマークＣＣＩ＝“ＮＭ”ならばコピーを禁止する制御を行うものであれば、これ以上、コピーを作成することはできない。すなわち、コンテンツの再生はできるがコピーはできないことになる。
【００８５】
また、たとえ図１０（ｂ）の場合において、あるレコーダが（ウォーターマークＣＣＩ＝“ＮＭ”であってもコピーを禁止しないものであるために）プレーヤ３０のアナログ出力をもとにメディア識別情報＝“ＲＷＭ”かつ暗号状態情報＝“ＣＰＲＭ”かつコピー制御情報＝“ＮＭ”のメディア（図１０（ｃ）の１２３）を作成することができたとしても、このメディア１２３については、プレーヤ３０ではアナログ信号の出力が禁止になり、プレーヤ３０で再生することができない。すなわち、本プレーヤ３０にとって、このようなコピーは、意味がない。
【００８６】
（具体例３）
例えば、図１１（ａ）に示すように、メディア識別情報＝“ＲＯＭ”かつ暗号状態情報＝“ＣＳＳ”かつコピー制御情報＝“ＣＮ”（コピーネバー）のメディア１４１を対象とする場合には、本プレーヤ３０ではアナログ信号の出力が許可になる。しかし、この場合、そのウォーターマークＣＣＩ＝“ＣＮ”を持つコンテンツのアナログ出力を、何らかのレコーダ（図示せず）に入力させても、該レコーダがウォーターマークＣＣＩ＝“ＣＮ”ならばコピーを禁止する制御を行うものであれば、これ以上、コピーを作成することはできない。すなわち、コンテンツの再生はできるがコピーはできないことになる。
【００８７】
また、たとえ図１１（ａ）の場合において、あるレコーダが（ウォーターマークＣＣＩ＝“ＣＮ”であってもコピーを禁止しないものであるために）プレーヤ３０のアナログ出力をもとにメディア識別情報＝“ＲＷＭ”かつ暗号状態情報＝“ＣＰＲＭ”かつコピー制御情報＝“ＣＮ”のメディア（図１１（ｂ）の１４３）を作成することができたとしても、このメディア１４３については、本プレーヤ３０ではアナログ信号の出力が禁止になり、再生することができない。すなわち、本プレーヤ３０にとって、このようなコピーは、意味がない。
【００８８】
（具体例４）
例えば、図１２に示すように、メディア識別情報＝“ＲＯＭ”かつ暗号状態情報＝“ＣＳＳ”かつコピー制御情報＝“ＣＮ”（コピーネバー）のメディアから何らかの方法でコピーして、全く同じ内容すなわちメディア識別情報＝“ＲＯＭ”かつ暗号状態情報＝“ＣＳＳ”かつコピー制御情報＝“ＣＮ”（コピーネバー）を持つメディア１６１が作成されたとしても、このメディア１６１を対象とする場合には、本プレーヤ３０ではアナログ信号の出力が禁止になる。すなわち、本プレーヤ３０にとって、このようなコピーは、意味がない。
【００８９】
なお、これまでは、ウォーターマークＣＣＩが埋め込まれていないコンテンツをもサポートするものとして説明したが（図４の例では、“ＣＦ”が埋め込まれているものと同じ扱いになる）、ウォーターマークＣＣＩが埋め込まれていないコンテンツはサポートしない方法（例えば、ウォーターマークＣＣＩが埋め込まれていないならば、メディア識別情報や暗号状態情報の内容にかかわらずに、すべて、アナログ信号の出力を禁止するものとする方法等）も可能である。
【００９０】
また、これまでは、暗号化されていないコンテンツもサポートするものとして説明したが（図４の例では、予定された暗号方式で暗号化されたものと同じ扱いになる）、暗号化されていないコンテンツはサポートしない方法（例えば、暗号化されていないならば、メディア識別情報やコピー制御情報の内容にかかわらずに、すべて、アナログ信号の出力を禁止するものとする方法等）も可能である。
【００９１】
また、それら以外にも、図４の制御内容を適宜変形して実施することが可能である。
【００９２】
図１３は、メディア識別情報と暗号化状態情報とコピー制御情報とに基づいて、制御部１が行なう制御内容の別の例を示したものである。なお、図１３においては、暗号化状態情報については、暗号化がなされているかどうかのみを判断している。
【００９３】
まず、暗号化がなされていない場合には、メディア識別情報が“ＲＯＭ”であっても“ＲＷＭ”であっても同様の制御が行われる。すなわち、暗号化されておらず、かつウォーターマークが検出されない場合には、コンテンツは出力されるが、メディアに対してリマークしない。また、暗号化されていないが、ウォーターマーク（どのような種類であっても良い）が検出された場合には、コンテンツは出力されないが、メディアに対してリマークする。
【００９４】
暗号化されている場合であって、メディア識別情報が“ＲＯＭ”の場合には、通常、ウォーターマークは検出されないので、コンテンツは出力されるが、リマークしない。
【００９５】
暗号化されている場合であって、メディア識別情報が“ＲＷＭ”の場合には、図４に示す場合とほぼ同様の制御が行われるが、ウォーターマークが検出されない場合と、コピー制御情報がＣＮ（ＥＰＮ）の場合には、コンテンツは出力されるが、リマークしない。なお、ここで、コピー制御情報のＣＮ（ＥＰＮ）は、アナログ再生信号はコピー不可であるが、デジタル暗号化により保護されている限りは、何度でもコピー可能であることを示す情報である。
【００９６】
上記のように、メディア識別情報、暗号状態情報及びコピー制御方法によって、制御内容を適宜変更可能である。
【００９７】
なお、以上の各機能は、ソフトウェアとして実現可能である。
【００９８】
また、本実施形態は、コンピュータに所定の手段を実行させるための（あるいはコンピュータを所定の手段として機能させるための、あるいはコンピュータに所定の機能を実現させるための）プログラムとして実施することもでき、該プログラムを記録したコンピュータ読取り可能な記録媒体として実施することもできる。
【００９９】
なお、この発明の実施の形態で例示した構成は一例であって、それ以外の構成を排除する趣旨のものではなく、例示した構成の一部を他のもので置き換えたり、例示した構成の一部を省いたり、例示した構成に別の機能あるいは要素を付加したり、それらを組み合わせたりすることなどによって得られる別の構成も可能である。また、例示した構成と論理的に等価な別の構成、例示した構成と論理的に等価な部分を含む別の構成、例示した構成の要部と論理的に等価な別の構成なども可能である。また、例示した構成と同一もしくは類似の目的を達成する別の構成、例示した構成と同一もしくは類似の効果を奏する別の構成なども可能である。
【０１００】
また、この発明の実施の形態で例示した各種構成部分についての各種バリエーションは、適宜組み合わせて実施することが可能である。
【０１０１】
また、この発明の実施の形態は、個別装置としての発明、関連を持つ２以上の装置についての発明、システム全体としての発明、個別装置内部の構成部分についての発明、またはそれらに対応する方法の発明等、種々の観点、段階、概念またはカテゴリに係る発明を包含・内在する。
【０１０２】
従って、この発明の実施の形態に開示した内容からは、例示した構成に限定されることなく発明を抽出することができる。
【０１０３】
本発明は、上述した実施の形態に限定されるものではなく、その技術的範囲において種々変形して実施することができる。
【０１０４】
【発明の効果】
本発明によれば、安全なコピー制御を行うことが可能になり、併せて、高速なレコーディングが可能になる。
【図面の簡単な説明】
【図１】同実施形態に係るレンダリング装置からの出力による再生およびコピーについて説明するための図
【図２】同実施形態に係るレンダリング装置以外の装置を用いたコピーについて説明するための図
【図３】本発明の一実施形態に係るレンダリング装置の構成例を示す図
【図４】メディア・タイプと暗号情報とウォーターマークＣＣＩとに基づいて再生するか否かとリマークの有無とを決定する方法の一例を示す図
【図５】同実施形態に係るレンダリング装置の動作手順の一例を示すフローチャート
【図６】同実施形態に係るレンダリング装置の動作手順の一例を示すフローチャート
【図７】同実施形態に係るレンダリング装置の動作手順の一例を示すフローチャート
【図８】同実施形態に係るレンダリング装置の動作手順の一例を示すフローチャート
【図９】同実施形態に係るレンダリング装置の動作例について説明するための図
【図１０】同実施形態に係るレンダリング装置の動作例について説明するための図
【図１１】同実施形態に係るレンダリング装置の動作例について説明するための図
【図１２】同実施形態に係るレンダリング装置の動作例について説明するための図
【図１３】メディア・タイプと暗号情報とウォーターマークＣＣＩとに基づいて再生するか否かとリマークの有無とを決定する方法の他の例を示す図
【符号の説明】
１…制御部
２…読取部
３…復号部
４…デコード部
５…ウォーターマーク検出部
６…ウォーターマーク・リマーク部
７…Ｄ／Ａ変換部
８…第１のスイッチ部
９…第２のスイッチ部
２０，４０〜４３…コンテンツ格納メディア
３０…プレーヤ
３２…ディスプレイ
３４，３８…レコーダ
３６…ＰＣ
【図１】
2004030882.tif 000003
【図２】
2004030882.tif 000004
【図３】
2004030882.tif 000005
【図４】
2004030882.tif 000006
【図５】
2004030882.tif 000007
【図６】
2004030882.tif 000008
【図７】
2004030882.tif 000009
【図８】
2004030882.tif 000010
【図９】
2004030882.tif 000011
【図１０】
2004030882.tif 000012
【図１１】
2004030882.tif 000013
【図１２】
2004030882.tif 000014
【図１３】
2004030882.tif 000015